(57)【要約】【課題】塵埃の廃棄を簡単且つ確実に行う。【解決手段】ペーパーフィルタ１４は、中央部を開口させた袋体１５と、その袋体１５の開口に連結され、接続筒１３の仕切壁９から上方への突出高さと略同じ長さの筒状のコネクタ１６とからなり、コネクタ１６を接続筒１３の上端に外嵌させることで、ペーパーフィルタ１４は、袋体１５の開口が接続筒１３の上端開口と略同じ高さで支持されるように装着される。また、袋体１５には取っ手１７，１７が設けられている。【選択図】　図１
2004016848.tif 000002
【特許請求の範囲】
【請求項１】
外部から空気が吸い込まれるタンクの上部に、モータ及びファンを備えた本体を前記タンクから分離可能に設ける一方、前記タンク内に両者間を上下に仕切る仕切壁を形成し、その仕切壁に、仕切壁を上下に貫通する接続筒を設け、その接続筒に、袋体の一次フィルタを装着可能とした集塵機であって、
前記一次フィルタの開口にコネクタを設け、そのコネクタを、前記一次フィルタの開口が前記接続筒の上端開口と略同じ高さかそれより高い位置で支持されるように前記接続筒へ装着したことを特徴とする集塵機。
【請求項２】
一次フィルタに、接続筒に装着した状態で前記一次フィルタを持ち上げ可能な取っ手を設けた請求項１に記載の集塵機。
【発明の詳細な説明】
【０００１】
【発明の属する技術分野】
本発明は、タンクの上部に、モータ及びファンを備えた本体を分離可能に載置し、タンクに設けた吸込口から空気を吸込み可能とした集塵機に関する。
【０００２】
【従来の技術】
集塵機は、タンクの上部に、モータ及びファンを備えた本体を分離可能に載置し、モータの駆動に伴うファンの回転で、タンクに設けた吸込口から空気を吸い込み、本体内を通過させて外部に排出させる。タンク内上方で本体への通気路上には二次フィルタが設けられており、塵埃を含んだ空気が二次フィルタを通過する際に、塵埃が二次フィルタに付着し或いはタンク内に落下して集塵が可能となる。
一方、このような集塵機においては、吸込口をタンクの接線方向に沿って設ける等して、吸引した空気をタンク内周面に沿って旋回させて塵埃を分離するいわゆるサイクロン構造が採用されることがある。この場合、本体とタンクとの間に仕切壁を設けると共に、仕切壁を上下に貫通する接続筒を設けて、タンク内で分離された比較的細かい塵埃のみを接続筒を通して本体側へ導くようになっている。
【０００３】
【発明が解決しようとする課題】
上記集塵機においては、接続筒を通過した細かい塵埃は、本体側に設けられた二次フィルタに付着するため、接続筒の出口側（上端側）に、例えば紙製の袋体である一次フィルタを装着して、細かい塵埃を二次フィルタの前段で捕捉可能としている。しかし、タンク内に吸い込まれた塵埃は、タンク内と一次フィルタ内との二箇所に貯留することになるため、夫々タンクと一次フィルタと別個に塵埃の廃棄作業が必要となり、手間がかかる。そこで、接続筒に装着したまま一次フィルタ内の塵埃をタンク内に落とそうとしても、一次フィルタ内に接続筒の上端が突出する格好となるため、塵埃が接続筒の周囲に溜まりやすく、結局一次フィルタを取り外さないと廃棄できなかった。
【０００４】
そこで、請求項１に記載の発明は、塵埃の廃棄が簡単且つ確実に行え、使い勝手に優れた集塵機を提供することを目的としたものである。
【０００５】
【課題を解決するための手段】
上記目的を達成するために、請求項１に記載の発明は、一次フィルタの開口にコネクタを設け、そのコネクタを、一次フィルタの開口が接続筒の上端開口と略同じ高さかそれより高い位置で支持されるように接続筒へ装着したことを特徴とするものである。
請求項２に記載の発明は、請求項１の目的に加えて、塵埃の廃棄を手を汚さずにより簡単とするために、一次フィルタに、接続筒に装着した状態で一次フィルタを持ち上げ可能な取っ手を設けたものである。
【０００６】
【発明の実施の形態】
以下、本発明の実施の形態を図面に基づいて説明する。
《形態１》
図１は集塵機の縦断面図で、集塵機１は、底部にキャスタ３，３・・を備えて上方を開口する有底円形状のタンク２と、そのタンク２の上方へ分離可能に載置され、モータ５及びファン６を備えた本体４とを有する。但し、タンク２と本体４との間には、タンク２と略同径の筒体８と、その筒体８の底部を閉塞する仕切壁９とを備えた着脱ユニット（以下単に「ユニット」という）７が介在されて、タンク２上にユニット７の筒体８を載置した状態で、タンク２の側面に設けた図示しないフックを筒体８の下端周縁の掛止部１０に掛止させることで、タンク２とユニット７とが連結可能となっている。同様に、ユニット７に本体４を載置した状態で、筒体８の側面に設けた図示しないフックを本体４周縁の掛止部１１に掛止させることで、本体４がユニット７に固定可能となっている。
【０００７】
１２は、ユニット７における筒体８の側面で吸込口を開口させ、吸引ホース等が接続可能な吸込筒で、筒体８及び仕切壁９を貫通してタンク２内に突出し、下端をタンク２の接線方向に沿った横向きに開口させている。また、仕切壁９の中央には、仕切壁９を上下に貫通する接続筒１３が固着されて、接続筒１３の上端には、一次フィルタとしてのペーパーフィルタ１４が装着されている。
このペーパーフィルタ１４は、中央部を開口させた袋体１５と、その袋体１５の開口に連結され、接続筒１３の仕切壁９から上方への突出高さと略同じ長さの筒状のコネクタ１６とからなり、コネクタ１６を接続筒１３の上端に外嵌させることで、ペーパーフィルタ１４は接続筒１３へ着脱可能に装着される。この装着状態で、袋体１５とコネクタ１６との連結際（袋体１５の開口）が接続筒１３の上端開口と略同じ高さで支持されるようになっている。また、装着状態での袋体１５の上側で左右両端には、取っ手１７，１７が設けられている。
【０００８】
さらに、１８は二次フィルタで、下方へ行くに従って徐々に小径となるすり鉢状の外形を有し、上端のトッププレート１９と、下端のボトムプレート２０と、両プレート１９，２０の間で周方向に並設される濾過部材２１，２１・・とから形成されて、トッププレート１９を筒体８の上方開口に掛止させた状態で本体４をセットすることで、二次フィルタ１８は筒体８内を上下に仕切る姿勢で狭持固定される。二次フィルタ１８の上方では、モータ５及びファン６を収容する本体４のケース２２が下向きに突出しており、ケース２２の下面に、複数の吸気口２３，２３・・が形成されている。なお、２４は、ケース２２の外周位置で本体４へ下向きに開口する排気口、２５は、ファン６を介して吸気口２３と排気口２４とを連通させる通風路である。
【０００９】
また、ユニット７において、仕切壁９の下面には、接続筒１３と同心で、底部を開口部２７とした筒状の内部タンク２６の上端が連結され、ユニット７の設置状態で、内部タンク２６がタンク２内に吊下されるようになっている。さらに、内部タンク２６の側面上方位置には、内部タンク２６の内外を連通させる内部吸込口２８が、内部タンク２６の接線方向に沿った傾斜姿勢で設けられている。
一方、内部タンク２６の下端で開口部２７の周縁には、筒状の蛇腹２９の上端が連結されて、タンク２にユニット７をセットした状態で、蛇腹２９の下端開口がタンク２の底面中央に固定した円形の受け座３０に弾性的に当接し、開口部２７を閉塞して内部タンク２６をシール可能となっている。
【００１０】
以上の如く構成された集塵機１においては、本体４に設けられた図示しないスイッチをＯＮ操作すると、モータ５が駆動してファン６が回転する。すると、吸引ホース等を介して吸込筒１２から吸い込まれた外部の空気がタンク２内に導かれ、タンク２の内周面に沿って一旦旋回した後、内部吸込口２８から内部タンク２６に吸い込まれる。この空気の旋回によって、比較的重量の大きい塵埃はまずタンク２内に落下して塵埃が分離される。続いて内部タンク２６内でも、内部吸込口２８の傾斜姿勢によって、空気は内部タンク２６の内周面に沿って底部まで旋回した後、接続筒１３からペーパーフィルタ１４内に入る。この内部タンク２６内での空気の旋回によって、内部タンク２６内に進入した塵埃のうち、比較的重量の大きいものが内部タンク２６内で落下してさらに塵埃が分離される。このとき、内部タンク２６内は蛇腹２９によってタンク２内とシールされているから、内部タンク２６内でのサイクロン作用に影響を与えることはない。
【００１１】
こうしてペーパーフィルタ１４内に進入した空気は、ペーパーフィルタ１４を通過した後、本体４側への通気路上にある二次フィルタ１８の濾過部材２１，２１・・を通過して、吸気口２３，２３・・からケース２２内に入り、通風路２５及び排気口２４を通って本体４の外部へ排出される。よって、タンク２及び内部タンク２６での二重のサイクロン作用により分離された細かい塵埃のみが、筒体８内のペーパーフィルタ１４に貯留して、或いは二次フィルタ１８の濾過部材２１に付着して集塵されることになる。
【００１２】
そして、ペーパーフィルタ１４内の塵埃を廃棄する場合は、本体４及び二次フィルタ１８をユニット７から取り外すと、筒体８の上方が開放される。よって、ペーパーフィルタ１４を装着させたまま取っ手１７，１７を把持して袋体１５を上方へ持ち上げれば、袋体１５内に貯留していた塵埃は中央の開口へ集まり、そのまま接続筒１３を通って内部タンク２６内に落下する。次に、ユニット７をタンク２から取り外すと、ユニット７の分離に伴い、内部タンク２６の蛇腹２９がタンク２から離反するため、内部タンク２６や蛇腹２９内に貯留していた塵埃はそのままタンク２内に残り、自動的に内部タンク２６内は空になる。よって、後はタンク２内に貯留していた塵埃とまとめて一度に廃棄すればよい。
【００１３】
このように上記形態１の集塵機１によれば、ペーパーフィルタ１４の袋体１５の開口にコネクタ１６を設け、そのコネクタ１６を、袋体１５の開口が接続筒１３の上端開口と略同じ高さで支持されるように接続筒１６へ装着したことで、ペーパーフィルタ１４を装着したまま内部の塵埃を全て内部タンク２６内に移すことができる。そして、ユニット７の取り外しと同時に内部タンク２６内の塵埃をタンク２内に移して、塵埃を一箇所（タンク２内）に集めることができる。よって、塵埃の廃棄はタンク２からの一回で済み、廃棄が簡単且つ確実に行えて使い勝手が向上する。
特に、ペーパーフィルタ１４の袋体１５に、接続筒１３に装着した状態で袋体１５を持ち上げ可能な取っ手１７，１７を設けているから、塵埃の廃棄が手を汚さずに簡単に行える。
【００１４】
《形態２》
次に、集塵機の他の形態を説明する。なお、形態１と同じ符号の構成部は同じ機能を有するため、重複する説明は省略する。
図２に示す集塵機１において、仕切壁９に設けられる接続筒１３には、図３にも示すように、接続筒１３の上端開口を仕切壁９の半径方向へ導く連結筒３１が連結され、連結筒３１の先端には、上下方向に第２接続筒３２が連結されて、この第２接続筒３２の上端に、上端を斜めに切除したペーパーフィルタ１４のコネクタ１６が装着されて、袋体１５の開口を第２接続筒３２の上端開口よりも上方で支持している。すなわち、この連結筒３１及び第２接続筒３２によって、ペーパーフィルタ１４の装着位置を、仕切壁９における内部タンク２６の外側へ変更したものである。
また、この第２接続筒３２は、仕切壁９を上下に貫通してタンク２内と連通可能となっており、仕切壁９の下面には、ゴム製の弁体３３が第２接続筒３２の下端開口を開閉可能に軸着されると共に、トーションスプリング３４によって常態では当該下端開口を閉塞するように付勢されている。
【００１５】
以上の如く構成された集塵機１においては、スイッチのＯＮ操作でモータ５が駆動してファン６が回転すると、吸込筒１２から吸い込まれた外部の空気が、タンク２、内部タンク２６を経て夫々サイクロン作用で塵埃を分離しつつ接続筒１３に達する。続いて、空気は連結筒３１、第２接続筒３２を通ってペーパーフィルタ１４内に入り、ペーパーフィルタ１４を通過後、二次フィルタ１８、本体４を通過して外部へ排出される。このとき、前述のように弁体３３は閉塞されてタンク２と筒体８との間のシールは確保されているので、空気の通過及び集塵に支障はない。
【００１６】
そして、ペーパーフィルタ１４内の塵埃を廃棄する場合は、本体４及び二次フィルタ１８をユニット７から取り外すと、筒体８の上方が開放される。よって、取っ手１７，１７を把持して袋体１５を上方へ持ち上げれば、袋体１５内に貯留していた塵埃は、そのまま中央の開口へ集まり、第２接続筒３２内に落下する。すると、弁体３３が塵埃の重みでトーションスプリング３４の付勢に抗して下方へ開き、第２接続筒３２の下端を開放させるため、塵埃はタンク２内へ落下する。後は、ユニット７をタンク２から取り外せば、内部タンク２６からタンク２内に残った塵埃と共に一度に廃棄できる。
【００１７】
このように上記形態２の集塵機１においても、コネクタ１６を利用して袋体１５の開口を第２接続筒３２の上端開口より高い位置で支持しているから、ペーパーフィルタ１４を装着したまま内部の塵埃を全てタンク２内に落下させることができる。そして、ユニット７の取り外しと同時に内部タンク２６内の塵埃をタンク２内に移して塵埃を一箇所に収集可能となっている。よって、塵埃の廃棄はタンク２からの一回で済み、廃棄が簡単且つ確実に行えて使い勝手が向上する。また、形態１と同様に取っ手１７，１７を設けているから、塵埃の廃棄が手を汚さずに簡単に行える。
特に、本形態２では、仕切壁９に第２接続筒３２を設けて接続筒１３と連結筒３１で接続し、ペーパーフィルタ１４を装着する第２接続筒３２を内部タンク２６より外側に位置させて、第２接続筒３２の下端開口に弁体３３を設けているから、ペーパーフィルタ１４内の塵埃を、内部タンク２６でなく直接タンク２内に落下させることができ、内部タンク２６の下端に蛇腹がなく完全に閉塞される構造であっても、ペーパーフィルタ１４内の塵埃は常に簡単に廃棄できる。
【００１８】
なお、ペーパーフィルタ１４と形態１の接続筒１３或いは形態２の第２接続筒３２との接続構造は、上記構造に限定するものではなく、ペーパーフィルタのコネクタの形状等に合わせて適宜変更できる。例えば、図４，５に示すように、ペーパーフィルタ３５が、袋体３６の開口位置に、透孔３８を穿設した四角形のボール紙等のコネクタ３７を貼着したものであれば、接続筒１３の上端に、コネクタ３７の両端縁が掛止可能な形状のゴム製の弾性片４０，４０を形成したホルダ３９を嵌着して、ペーパーフィルタ３５の装着の際には、コネクタ３７の両辺を夫々対応する弾性片４０，４０へ順に掛止させて、コネクタ３７の透孔３８を接続筒１３の上端に位置させる構造も採用できる。この場合、接続筒１３の上端に、コネクタ３７と当接して両者間をシールするＯリング４１を設けるのが望ましい。
このようなコネクタ３７とホルダ３９との構造においても、塵埃の廃棄が簡単且つ確実に行うことができると共に、コネクタ３７の着脱も容易に行える。勿論この構造は、形態２における第２接続筒３２の上端にも採用可能である。
【００１９】
また、内部タンク２６の下端のシール手段は、蛇腹２９に限らず、内部タンク２６の下端に、設置状態でタンク２の底面に当接するリング状の弾性体、例えば角リングやＯリング、ゴムスリーブ等を設けて閉塞させても差し支えない。さらに、本発明は、内部タンクを設けない単体のサイクロン構造の集塵機であっても採用可能である。
その他、一次フィルタは紙製に限らず、布製等も使用できる。
【００２０】
【発明の効果】
請求項１に記載の発明によれば、一次フィルタの開口にコネクタを設け、そのコネクタを、一次フィルタの開口が接続筒の上端開口と略同じ高さかそれより高い位置で支持されるように接続筒へ装着したことで、一次フィルタを装着したまま内部の塵埃を全てタンク内に集めることができる。よって、塵埃の廃棄はタンクからの一回で済み、廃棄が簡単且つ確実に行えて使い勝手が向上する。
請求項２に記載の発明によれば、請求項１の効果に加えて、一次フィルタに、接続筒に装着した状態で一次フィルタを持ち上げ可能な取っ手を設けたことで、塵埃の廃棄が手を汚さずにより簡単に行える。
【図面の簡単な説明】
【図１】形態１の集塵機の縦断面図である。
【図２】形態２の集塵機の縦断面図である。
【図３】ペーパーフィルタの取付構造を示す拡大断面図である。
【図４】ペーパーフィルタの取付構造の変更例を示す拡大断面図である。
【図５】図４の接続筒部分の拡大断面図である。
【符号の説明】
１・・集塵機、２・・タンク、４・・本体、７・・ユニット、８・・筒体、９・・仕切壁、１３・・接続筒、１４，３５・・ペーパーフィルタ、１５・・袋体、１６，３７・・コネクタ、１７・・取っ手、２６・・内部タンク、３１・・連結筒、３２・・第２接続筒、３３・・弁体。
【図１】
2004016848.tif 000003
【図２】
2004016848.tif 000004
【図３】
2004016848.tif 000005
【図４】
2004016848.tif 000006
【図５】
2004016848.tif 000007